(57)【要約】【課題】設置スペースを低減することが可能な水循環装置を提供すること。【解決手段】水を供給しながら回収する水循環装置１００は、循環水の温度を調節する温度調節部１５と、水活性化部５０と、循環水に含まれる異物を除去するフィルタユニット３０を備える。フィルタユニット３０は、プリーツ状に折り加工された濾材で構成された円筒体を有し、円筒体の外周面側から中空部側に循環水を通過させることによって循環水に含まれる異物を低減するフィルタ本体と、フィルタ本体の両端面において中空部の開口を取り囲むように配置される、エッジ状の先端を有する第１及び第２のシール部と、第１のシール部の上に設けられる弾性部と、第２のシール部に接続されるとともに先端部が中空部に挿入されてフィルタ本体を支持する支持部と、フィルタ本体、第１及び第２のシール部、弾性部及び支持部を収容する収容部を備える。【選択図】図１
2018202302.tif 000002
【特許請求の範囲】
【請求項１】
水を供給しながら回収する水循環装置であって、
循環水の温度を調節する温度調節部と、誘電体からなる管体の外側に電極が配置され、前記管体内を流通する前記循環水を活性化する水活性化部と、前記循環水に含まれる異物を除去するフィルタユニットと、を備え、
前記フィルタユニットは、
プリーツ状に折り加工された濾材で構成された円筒体を有し、前記円筒体の外周面側から中空部側に前記循環水を通過させることによって前記循環水に含まれる異物を低減するフィルタ本体と、
前記フィルタ本体の両端面において前記中空部の開口を取り囲むように配置される、エッジ状の先端を有する第１及び第２のシール部と、
前記第１のシール部の上に設けられる弾性部と、
前記第２のシール部に接続されるとともに先端部が前記中空部に挿入されて前記フィルタ本体を支持する支持部と、
前記フィルタ本体の外周面に前記循環水を供給する供給口と、前記中空部を流通する循環水を排出する排出口とが設けられ、当該排出口に前記支持部の後端部を挿入するとともに、前記第１及び第２のシール部の先端が前記フィルタ本体の両端面にそれぞれ食い込むように前記弾性部で付勢した状態で、前記フィルタ本体、前記第１及び第２のシール部、前記弾性部及び前記支持部を収容する収容部と、を備える、水循環装置。
【請求項２】
インキローラの内部に前記循環水を供給しながら回収する、請求項１に記載の水循環装置。
【請求項３】
前記第１のシール部は、前記弾性部であるコイルばね、円錐ばね、又は皿ばねが取り付けられる突起と、前記中空部に挿入される突起と、を有する、請求項１又は２に記載の水循環装置。
【請求項４】
前記循環水と接触する内壁の少なくとも一部にＦｅ３Ｏ４を含む皮膜を有する、請求項１〜３のいずれか一項に記載の水循環装置。
【請求項５】
前記フィルタ本体の濾過精度が０．５μｍ以下である、請求項１〜４のいずれか一項に記載の水循環装置。
【請求項６】
井戸水、工業用水及び処理水の少なくとも一つを含む水を補給する補給部を有する、請求項１〜５のいずれか一項に記載の水循環装置。
【請求項７】
ナフタレンを含む殺藻剤を保持し、前記循環水と前記殺藻剤とを接触させる処理部を備える、請求項１〜６のいずれか一項に記載の水循環装置。
【請求項８】
請求項１〜７のいずれか一項に記載の水循環装置の洗浄方法であって、
過酸化水素を含む前記循環水を循環させながら前記水循環装置の内部を洗浄する洗浄工程を有する、洗浄方法。
【発明の詳細な説明】
【技術分野】
【０００１】
本開示は、水循環装置及び洗浄方法に関する。
【背景技術】
【０００２】
オフセット印刷において高品質の印刷を行うためには、インキの温度を目標とする温度範囲内に維持する必要がある。例えば、インキの温度が高くなり過ぎるとインキの粘度が下がり、印刷物の絵柄の網点が肥大化したり、絵柄の光沢が下がったりして、印刷品質が低下してしまう。
【０００３】
インキつぼから版胴までのインキの供給は、インキ元ローラ、インキ伝達ローラ、インキ練りローラ及びインキ往復ローラ等のインキローラを順次移転して行われる。これらの各インキローラの表面には熱が発生して蓄積される。蓄積する熱を低減するためにインキローラには冷却水を供給する必要がある。このような冷却水は、環境負荷を低減する観点から循環利用されている。
【０００４】
特許文献１では、インキローラに循環水を供給する処理装置が提案されている。この処理装置は、ゼータ電位の吸着作用を利用した電気吸着フィルタと、誘電体からなる管体の外周面に導電体が配置され、管体内に流通させる冷却水を活性化する水活性化装置を備えている。
【先行技術文献】
【特許文献】
【０００５】
【特許文献１】特開２０１１−１９４６７８号公報
【発明の概要】
【発明が解決しようとする課題】
【０００６】
印刷機が設置される建屋は、通常、印刷機器のみならず、他の機器及び副資材等を保管するスペースも必要となるため、インキローラの内部に循環水を供給する水循環装置の設置スペースには制約があることが多い。また、印刷機以外の分野においても水循環装置の設置スペースを低減することは有効である。そこで、本発明は、一つの側面において、設置スペースを低減することが可能な水循環装置を提供することを目的とする。本発明は、別の側面において、水循環装置の内部の洗浄を簡便に行うことが可能な洗浄方法を提供することを目的とする。
【課題を解決するための手段】
【０００７】
本発明の水循環装置は、一つの側面において、水を供給しながら回収する水循環装置であって、循環水の温度を調節する温度調節部と、誘電体からなる管体の外側に電極が配置され、管体内を流通する循環水を活性化する水活性化部と、循環水に含まれる異物を除去するフィルタユニットと、を備える。
【０００８】
フィルタユニットは、プリーツ状に折り加工された濾材で構成された円筒体を有し、円筒体の外周面側から中空部側に循環水を通過させることによって循環水に含まれる異物を低減するフィルタ本体と、
フィルタ本体の両端面において中空部の開口を取り囲むように配置される、エッジ状の先端を有する第１及び第２のシール部と、
第１のシール部の上に設けられる弾性部と、
第２のシール部に接続されるとともに先端部が中空部に挿入されてフィルタ本体を支持する支持部と、
フィルタ本体の外周面に循環水を供給する供給口と、中空部を流通する循環水を排出する排出口とが設けられ、当該排出口に支持部の後端部を挿入するとともに、フィルタ本体の両端面において第１及び第２のシール部の先端がフィルタ本体の両端面にそれぞれ食い込むように弾性部で付勢した状態で、フィルタ本体、第１及び第２のシール部、支持部及び弾性部を収容する収容部とを備える。
【０００９】
上記フィルタ本体は、プリーツ状に折り加工された濾材で構成された円筒体を有することから、濾過面積を維持しつつ小型化することができる。このためフィルタ本体を収容する収容部の小型化も図ることができる。また、フィルタ本体は、排出口に支持部の後端部を挿入するとともに、第１及び第２のシール部の先端がフィルタ本体の両端面に食い込むように弾性部で付勢した状態で、収容部に収容される。このように、収容部内にフィルタ本体をコンパクトな構造で収容することができる。したがって、水循環装置の設置スペースを低減することができる。
【００１０】
なお、上述のフィルタユニットは、フィルタ本体をバイパスして外周面側から中空部側に循環水がリークすることを十分に抑制することができる。すなわち、フィルタ本体の外周面側の循環水が、フィルタ本体を通過することなく中空部を流通する循環水に混入することを十分に抑制することができる。このため、循環水がフィルタ本体をより確実に通過することとなり、循環水に含まれる異物をフィルタ本体で十分に捕捉することができる。したがって、循環水中の異物を低減し、異物に起因する回転機器等のメカニカルシール部のリーク等の不具合を抑制することができる。
【００１１】
上述の水循環装置は、インキローラの内部に循環水を供給するものであることが好ましい。インキローラは、通常、屋内に設置されることから、設置スペースを低減できる上記水循環装置は特に有用である。
【００１２】
上記第１のシール部は、弾性部であるコイルばね、円錐ばね、又は皿ばねが取り付けられる突起と、中空部に挿入される突起と、を有することが好ましい。これによって、収容部内における、第１のシール部、フィルタ本体及び弾性部の位置精度を向上することができる。
【００１３】
上記水循環装置は、循環水と接触する内壁の少なくとも一部にＦｅ３Ｏ４を含む皮膜を有することが好ましい。このような皮膜を有することによって、内壁の腐食の進行が抑制され、循環水中の異物を一層低減することができる。したがって、フィルタ本体の交換頻度を低減することができる。
【００１４】
上述のフィルタ本体の濾過精度は０．５μｍ以下であることが好ましい。これによって、循環水中に溶存する気泡（空気）が低減され、内壁の腐食の進行を一層抑制することができる。
【００１５】
上記水循環装置は、井戸水、工業用水及び処理水の少なくとも一つを含む水を補給する補給部を有していてもよい。このように、水道水以外の水を補給する補給部を有していても、循環水中の異物を十分に低減して、内壁の腐食及び閉塞等を抑制することができる。
【００１６】
上記水循環装置は、ナフタレンを含む殺藻剤を保持し、循環水と殺藻剤とを接触させる処理部を備えていてもよい。これによって、循環水中に藻類が増殖することを抑制することができる。この処理部は、循環水として、藻類が特に発生しやすい井戸水又は工業用水を用いる場合に特に有用である。
【００１７】
本発明は、別の側面において、上述の水循環装置の洗浄方法であって、過酸化水素を含む循環水を循環させながら水循環装置の内部を洗浄する洗浄工程を有する、洗浄方法を提供する。
【００１８】
上記洗浄方法では、水循環装置の内部の洗浄に、過酸化水素を含む循環水を用いている。このため、水循環装置の内壁に付着するスケールを簡便に且つ効果的に除去することができる。
【発明の効果】
【００１９】
本発明は一つの側面において、設置スペースを低減することが可能な水循環装置を提供することができる。本発明は、別の側面において、水循環装置の内部の洗浄を簡便に行うことが可能な洗浄方法を提供することができる。
【図面の簡単な説明】
【００２０】
【図１】水循環装置の概要を示す図である。
【図２】フィルタユニットの縦断面図である。
【図３】フィルタ本体の径方向断面図である。
【図４】フィルタ構造体の分解図である。
【図５】収容部に収容されるフィルタ構造体を斜め下方から見たときの図である。
【図６】蓋部を取り外して、収容部を上から見たときの図である。
【図７】収容部に収容されるフィルタ構造体を斜め上方から見たときの図である。
【図８】第１のシール部の斜視図である。
【図９】フィルタユニットにおいて、蓋部が胴体部の上端から離れている状態を示している。
【図１０】水活性化部とその内部構造の一部を透視して示す模式図である。
【図１１】実施例４及び比較例４の結果を示す写真である。
【図１２】実施例４及び比較例４の結果を示す写真である。
【図１３】洗浄中及び洗浄後の温度調節部における制御水槽の水面を撮影した写真である。
【発明を実施するための形態】
【００２１】
以下、場合により図面を参照して、本発明の実施形態を以下に説明する。ただし、以下の実施形態は、本発明を説明するための例示であり、本発明を以下の内容に限定する趣旨ではない。
【００２２】
図１は、本発明の一実施形態に係る水循環装置の概要を示す図である。図１の水循環装置１００は、インキローラ１０の内部に水を循環して供給する水循環装置１００が示されている。水循環装置１００は、循環水の温度を調節する温度調節部１５と、循環水に含まれる異物を除去するフィルタユニット３０（濾過部）と、誘電体からなる管体の外側に電極が配置され、管体内を流通する循環水を活性化する水活性化部と、薬剤を注入する薬剤注入部６０と、循環水と殺藻剤とを接触させる処理部７０と、を備える。また、水循環装置１００は、上述の各種機器同士を接続し、循環水の循環流路を構成する配管８１，８３，８５，８６，８８を備える。さらに、水循環装置１００は、温度調節部１５の下流側に、圧力を測定する圧力センサ６２と、圧力センサ６２で測定した圧力の信号が入力され、当該圧力が所定値を超えている場合に警報を発報する制御部６４と、を備える。
【００２３】
温度調節部１５は、オフセット印刷機のインキローラ１０の内部を流通してきた循環水の温度を所定の範囲（例えば、２２〜２６℃）に調節する。このように温度調節された循環水をインキローラ１０の内部に供給することによって、インキの粘度の変動が抑制され、印刷精度が向上する。
【００２４】
温度調節部１５は、循環水を滞留させ、循環水の温度を制御する制御水槽２２と、循環水の温度を冷却する冷却器１６と、制御水槽２２から循環水を送り出すためのポンプ２４と、を備える。また、温度調節部１５は、制御水槽２２から冷却器１６に循環水を送る配管１７、冷却器１６から制御水槽２２に循環水を送る配管１８、及び、制御水槽２２からポンプ２４に循環水を供給する配管８２を備える。
【００２５】
制御水槽２２には、補給水を供給するための配管６５（補給部）が連結されている。例えば、制御水槽２２の水位が下限値を下回ったときに、配管６５を介して補給水が供給される。補給水としては水道水であってもよいし、水道水以外の井戸水、工業用水及び処理水の少なくとも一つを含んでいてもよい。処理水としては、下水処理場で処理された処理水等が挙げられる。井戸水、工業用水及び処理水は、水道水よりも異物が多い傾向があるが、本実施形態の水循環装置１００であれば、井戸水、工業用水及び処理水を用いた場合であっても異物を十分に低減し、腐食を抑制することができる。したがって、運転コストを十分に低減することができる。
【００２６】
制御水槽２２は、循環水を加熱するヒータを備えていてもよい。これによって、冷却器１６によって過度に冷却された循環水を加熱して、循環水を所定の温度範囲に制御することができる。このように、温度調節部１５は、循環水の冷却だけでなく加熱も行うことができることから、恒温装置として機能する。冷却器及びヒータは公知のものを用いることができる。制御水槽２２は、制御水槽２２内の循環水の温度を測定する温度センサを有していてもよい。この温度センサの測定値に基づいて、冷却器１６に供給する循環水の流量調節、或いは、冷却器１６又はヒータの出力の調節を行ってもよい。
【００２７】
ポンプ２４は市販の回転ポンプを用いることができる。本実施形態の水循環装置では循環水の異物を十分に低減できることから、ポンプ２４におけるメカニカルシール部からの循環水のリークを十分に低減することができる。
【００２８】
ポンプ２４から吐出された循環水は、配管８３を流通してフィルタユニット３０に供給される。フィルタユニット３０では、循環水に含まれる異物が捕捉される。これによって、循環水に含まれる異物を低減することができる。異物としては、水循環装置１００内の配管及び各種機器の腐食に起因する赤錆、並びに、補給水に起因するシリカ及び藻等の固形物が挙げられる。
【００２９】
配管８３には、圧力センサ６２が設けられている。圧力センサ６２は、配管８３内の圧力値を検出し、その検出信号を制御部６４に出力する。制御部６４は警報手段として例えば警告ランプを備えている。制御部６４は圧力センサ６２によって検出された圧力値が所定値を超えたときに、警告ランプを点灯する。このとき、循環水の流路を図示しないバイパス配管に切り替えて、フィルタユニット３０をバイパスするように循環流路を構成してもよい。
【００３０】
例えば、制御部６４からの制御信号によって３方電磁弁を作動させて、循環水の流路をフィルタユニット３０からバイパス配管に切り替えてもよい。これによって、フィルタユニットの圧力が上限値を超えることを回避することができる。循環水がバイパス配管を流通している間に、フィルタユニット３０に備えられるフィルタ本体を取り出して交換又は洗浄してもよい。また例えば、フィルタユニット３０を複数設けて、一方の圧力値が所定値を超えた場合に、循環水の流路を他方のフィルタユニット３０に切り替えてもよい。他方のフィルタユニット３０を循環水が流通している間に、一方のフィルタユニット３０のフィルタ本体の交換作業をすることができる。
【００３１】
図２は、フィルタユニット３０の縦断面図である。フィルタユニット３０は、フィルタ本体４０と、フィルタ本体４０の両端部に第１のシール部４２及び第２のシール部４３と、第２のシール部４３に接続されるとともに先端部４４ａがフィルタ本体４０の中空部４０ｄに挿入される支持部４４と、を有するフィルタ構造体９０を備える。
【００３２】
図３は、フィルタ本体４０の径方向断面図である。図２及び図３に示されるように、フィルタ本体４０は、プリーツ状に折り加工された濾材Ｆ（図３）で構成された円筒体４０ｂと、当該円筒体４０ｂの周囲を覆い、円筒体４０ｂを補強するとともに濾材Ｆを保護する外殻体４０ａと、を有する。円筒体４０ｂは、プリーツタイプのフィルタであることから濾過面積を大きくしつつ、小型化を図ることができる。したがって、収容部３１を小さくすることができる。
【００３３】
濾材Ｆとしては、例えば、合成繊維の不織布又は織布が挙げられる。合成繊維としては、ポリオレフィン、ポリエステル、ナイロン、脂肪族ポリアミド、及びポリアクリロニトリル等が挙げられる。これらの一種を単独で、又は二種以上を組み合わせてもよい。これらのうち、ポリプロピレンが好ましい。濾材Ｆは、繊維径の異なる数種類の不織布を一緒にプリーツ加工することによって濾過精度に勾配を設けてもよい。
【００３４】
外殻体４０ａは、循環水が通過可能なように例えば網状又はメッシュ状に形成される。外殻体４０ａは、ポリオレフィン又はポリエステル等の合成樹脂製のものが挙げられる。フィルタ本体４０は、その内壁で形成される中空部４０ｄを有する。循環水は、フィルタ本体４０における円筒体４０ｂを、外周面４０ｃ側から中空部４０ｄ側に向かって通過する。通過する際に、循環水に含まれる異物は円筒体４０ｂを形成する濾材Ｆに捕捉され低減される。
【００３５】
フィルタ本体４０の濾過精度を十分に小さくすれば、循環水に含まれる異物の含有量を十分に低減することができる。フィルタ本体４０の濾過精度は、好ましくは０．５μｍ以下であり、より好ましくは０．４５μｍ以下である。このような濾過精度を有するフィルタ本体を用いることによって、異物のみならず、循環水中の溶存酸素を取り除くことができる。このような溶存酸素は、例えば配管６５から補給される補給水によって持ち込まれる。循環水中の溶存酸素を取り除くことによって、水循環装置１００及びインキローラ１０の内壁の腐食の進行を一層抑制することができる。
【００３６】
図２に示すように、フィルタ本体４０は、収容部３１に収容されている。収容部３１は、円柱状の空間であり、円筒状の胴体部３２と、胴体部３２の上端側に設けられて胴体部３２の上側の開口を覆う蓋部３４と、胴体部３２の下端側に設けられて胴体部３２の下側の開口を塞ぐ底部３６とによって形成される。
【００３７】
図４は、フィルタ構造体９０の分解図である。フィルタ本体４０は、一方の端面４０Ａに中空部４０ｄの開口４１Ａを有し、他方の端面４０Ｂに中空部４０ｄの開口４１Ｂを有する。フィルタ本体４０の端面４０Ａにおいて、開口４１Ａを取り囲むように第１のシール部４２が配置される。第１のシール部４２のフィルタ本体４０側とは反対側に弾性部４５が配置される。
【００３８】
フィルタ本体４０の端面４０Ｂにおいて、開口４１Ｂを取り囲むように第２のシール部４３が配置される。第２のシール部４３は、環状であり、中央部の貫通孔４３ａに棒状の支持部４４が挿入される。図３では、第２のシール部４３と支持部４４は別個の部材として示されているが、これらはカシメ又は溶接等の手段によって互いに結合していてもよい。略三角柱状を有する支持部４４は、フィルタ本体４０を支持するものであり、循環水の流通を円滑にするために中央部が空洞になっている。また、支持部４４の両端は、凸形状に加工されている。これによって、中空部４０ｄ、及び、排出口３８Ａへの支持部４４の挿入作業を円滑にすることができる。
【００３９】
支持部４４の先端部４４ａは、フィルタ本体４０の中空部４０ｄに挿入される。支持部４４の先端部４４ａは、第１のシール部４２と離れて設けられる。支持部４４の中空部４０ｄへの挿入長さは、中空部４０ｄの長さと同じであってもよいし、中空部４０ｄの長さを基準（１００）として４０〜９５であってもよい。一方、支持部４４の後端部４４ｂは、中空部４０ｄの開口４１Ｂから突出させる。支持部４４の突出部分の長さは、支持部４４の長さを基準（１００）として１０〜３０であってもよい。
【００４０】
第１のシール部４２、第２のシール部４３、及び支持部４４の材質は、強度を高くする観点及び加工の容易性の観点から金属製であることが好ましい。循環水中の異物を低減するとともに、メンテナンス頻度を低減する観点から、例えばステンレス又はアルミニウムであってもよいし、鋳鉄にメッキを施したものであってもよい。
【００４１】
図２に示されるように、フィルタ本体４０の端面４０Ｂにおける開口４１Ｂから突出する支持部４４の後端部４４ｂは、収容部３１を形成する底部３６に設けられる排出口３８Ａに挿入されている。第２のシール部４３は、排出口３８Ａの周囲に形成される略漏斗形状の位置決め部３９Ｂに当接する。第２のシール部４３が位置決め部３９Ｂに当接することによって、収容部３１におけるフィルタ構造体９０（フィルタ本体４０）の位置決めがなされる。これによって、フィルタ構造体９０の設置作業を簡略化するとともに、設置後もフィルタ構造体９０のぐらつき等を抑制することができる。
【００４２】
底部３６には、フィルタ本体４０の外周面４０ｃに循環水を供給する供給口３３Ａが設けられている。循環水は、底部３６の側面に設けられた流入口３３Ｂから導入され、供給流路３３を流通して供給口３３Ａから収容部３１内に導入される。循環水は、フィルタ本体４０の外周面４０ｃから中空部４０ｄに向かって流通する。
【００４３】
循環水は、円筒体４０ｂによって濾過され異物が低減される。異物が低減された循環水は、中空部４０ｄを流通して排出口３８Ａから排出流路３８に排出される。この循環水は、排出流路３８を流通して流出口３８Ｂから流出する。供給流路３３及び排出流路３８は、それぞれエルボ状に形成されている。流入口３３Ｂ及び流出口３８Ｂは、それぞれ、図１の配管８３及び配管８５に接続されている。このような構造によって、循環水はフィルタユニット３０に連続的に供給され濾過されるようになっている。
【００４４】
本実施形態では、収容部３１が円柱形状を有しているが、これに限定されない。別の実施形態では、収容部は、四角柱形状等の別の形状を有していてもよい。
【００４５】
図５は、収容部３１に収容されるフィルタ構造体９０を斜め下方から見たときの図である。支持部４４は、フィルタ本体４０の一方の端面４０Ｂからその後端部４４ｂが突出するように配置される。支持部４４は、一側面に、後端部４４ｂから先端部４４ａに亘って溝部４４Ａが形成されている。溝部４４Ａは、支持部４４の後端部４４ｂに形成される開口部４４Ｂに繋がっている。溝部４４Ａは、図示されていない支持部４４の先端部４４ａに形成される開口部にも繋がっている。支持部４４が、中空状の空洞を有するとともに、当該空洞が溝部４４Ａ及び両端部における開口部４４Ｂによって開放されていることから、支持部４４が循環水の流動の抵抗となることを十分に抑制することができる。
【００４６】
第２のシール部４３は中央部に貫通孔４３ａを有しており、貫通孔４３ａにおいて支持部４４に接している。第２のシール部４３は、例えば溶接又はカシメ金具等によって支持部４４と接続されていてもよい。第２のシール部４３は支持部４４の後端部４４ｂに向かって小さくなるようにテーパー状に形成されている。テーパー状の表面４３ｂが図２の位置決め部３９Ｂに当接し、フィルタ構造体９０が収容部３１において位置決めされる。
【００４７】
第２のシール部４３は、その先端４３ｃがフィルタ本体４０の中空部４０ｄの開口を取り囲むように配置される。第２のシール部４３の先端４３ｃは、エッジ状になっており、第２のシール部４３の先端４３ｃ以外の部分よりも厚みが薄くなっている。このため、第２のシール部４３の先端４３ｃは、弾性部４５で付勢されフィルタ本体４０の端面４０Ｂに食い込んでいる。したがって、循環水がフィルタ本体４０の外周面４０ｃ側から、フィルタ本体４０の中空部４０ｄ側にバイパスすることが十分に抑制され、フィルタ本体４０において異物を十分に低減することができる。また、フィルタ本体４０と第２のシール部４３の位置ずれを抑制することができる。
【００４８】
図６は、蓋部３４を取り外して、収容部３１を上から見たときの図である。底部３６には、一つの供給口３３Ａと、３つの排出口３８Ａが設けられている。底部３６の中心部には、鉛直方向に延在するように固定軸３７が取り付けられている。３つの排出口３８Ａのそれぞれにフィルタ構造体９０を取り付けることができる。なお、収容部３１に設けられるフィルタ構造体９０及び排出口３８Ａの数は特に限定されず、別の実施形態では、１つ又は２つであってもよいし、４つ以上であってもよい。供給口３３Ａも１つに限定されず、２つ以上であってもよい。
【００４９】
排出口３８Ａの周囲には、中心側から略漏斗形状の位置決め部３９Ｂと、凹部３９Ａが同心となるように設けられている。略漏斗形状の位置決め部３９Ｂを凹部３９Ａに取り付けることによって、位置決め部３９Ｂを底部３６に安定的に固定することができる。フィルタ構造体９０は、第２のシール部４３の表面４３ｂと位置決め部３９Ｂとが当接するように収容部３１内に配置される。支持部４４と第２のシール部４３が互いに固定されていれば、フィルタ構造体９０の交換作業を容易にすることができる。
【００５０】
図７は、収容部３１に収容されるフィルタ構造体９０を斜め上方から見たときの図である。第１のシール部４２は、図５に示される第２のシール部４３と同様に、その先端４２ｃがフィルタ本体４０の中空部４０ｄの開口を取り囲むように配置される。なお、第１のシール部４２は、フィルタ本体４０の中空部４０ｄの開口を塞ぐように設けられている点で、第２のシール部４３と異なっている。フィルタ構造体９０は、フィルタ本体４０の端面４０Ａにおける中空部４０ｄの開口４１Ａ（図４）を覆うように第１のシール部４２を有することから、中空部４０ｄ内を流通する循環水が、端面４０Ａ側の中空部４０ｄの開口４１Ａから流出することを抑制することができる。このため、中空部４０ｄ内の循環水の全量を、端面４０Ｂ側の開口４１Ｂから流出させることができる。
【００５１】
第１のシール部４２の先端４２ｃは、エッジ状になっており、第１のシール部４２の先端４２ｃ以外の部分よりも厚みが薄くなっている。このため、第１のシール部４２の先端４２ｃは、弾性部４５で付勢されフィルタ本体４０の端面４０Ａに食い込んでいる。したがって、循環水がフィルタ本体４０の外周面４０ｃ側から、フィルタ本体４０の中空部４０ｄ側にバイパスすることが十分に抑制され、フィルタ本体４０において異物を十分に低減することができる。また、フィルタ本体４０と第１のシール部４２の位置ずれを抑制することができる。
【００５２】
弾性部４５は、本実施形態ではコイルばね（押しばね）を用いているが、これに限定されない。弾性部を第１のシール部４２の上に安定的に保持する観点から、好ましい弾性部としては、円錐ばね、及び皿ばね等が挙げられる。
【００５３】
図８は、第１のシール部４２の斜視図である。図８（Ａ）は、第１のシール部４２を上側（弾性部４５側）から見たときの斜視図であり、図８（Ｂ）は、第１のシール部４２を下側（フィルタ本体４０側）から見たときの斜視図である。図７及び図８（Ａ）に示されるように、第１のシール部４２は、弾性部４５と直接接触して弾性部４５によって付勢される皿状の本体部４２ｂを有する。本体部４２ｂの中央部には弾性部４５を係止するための突起部４２ａが形成されている。弾性部４５の係止部として機能する突起部４２ａを有することによって、第１のシール部４２と弾性部４５の位置ずれを抑制することができる。
【００５４】
第１のシール部４２は、図８（Ｂ）に示されるように、弾性部４５と接する側とは反対側に、フィルタ本体４０の中空部４０ｄに挿入される挿入部４２ｄを有する。第１のシール部４２は、弾性部４５で付勢されることによって先端４２ｃがフィルタ本体４０の端面４０Ａに食い込むとともに、挿入部４２ｄが中空部４０ｄに挿入されることから、フィルタ本体４０に対する第１のシール部４２及び弾性部４５の位置ずれの発生を十分に抑制することができる。このため、位置ずれに伴って循環水が開口４１Ａから中空部４０ｄに流入することを十分に抑制することができる。
【００５５】
図２に戻り、蓋部３４の中心部には固定軸３７が挿入される貫通孔３４ｂが設けられている。蓋部３４は、固定軸３７に対して上下方向に移動可能に固定軸３７に取り付けられる。固定軸３７と貫通孔３４ｂの接触部分には、図示しないねじ山が形成されており、互いに螺合している。固定軸３７は、底部３６の中心から胴体部３２の中央を通って蓋部３４を貫通して延びている。固定軸３７の上端は、蓋部３４の上側においてＴ型のハンドル部３５の中心軸３５ａに連結されている。ハンドル部３５の中心軸３５ａと固定軸３７は、中心軸３５ａをメス側、固定軸３７をオス側としてねじ結合されている。
【００５６】
図９は、フィルタユニット３０において、蓋部３４が胴体部３２の上端から離れている場合を示している。この場合、弾性部４５は弾性変形しておらず、その上端が胴体部３２の上端よりも上方に位置している。ここで、図２に示す固定軸３７に対してハンドル部３５を時計回り（又は反時計回り）に回すと、中心軸３５ａの先端３５ｂが蓋部３４の貫通孔３４ｂの周縁３４ａに当接して蓋部３４が胴体部３２側に移動する。蓋部３４と胴体部３２の上端とが接触するまで蓋部３４を胴体部３２側に移動させれば、胴体部３２の上側の開口が蓋部３４で閉止され、収容部３１を閉鎖することができる。このとき、蓋部３４の胴体部３２側への移動に伴って、フィルタ本体４０の上方に配置された弾性部４５は蓋部３４に当接して押圧され弾性変形する。
【００５７】
蓋部３４には、貫通孔３４ｂとは別に、ガス抜き孔３４ｃが設けられている。蓋部３４を閉止して、フィルタユニット３０への循環水の供給を開始する際に、ガス抜き孔３４ｃを開放して収容部３１内のガスを抜くことで、フィルタユニット３０による循環水の濾過の開始を円滑に行うことができる。
【００５８】
図２に示すように弾性部４５が弾性変形すると、弾性部４５とフィルタ本体４０の間に配置される第１のシール部４２は、フィルタ本体４０の上側の端面４０Ａに向かうように付勢される。これとともに、フィルタ本体４０と排出口３８Ａとの間に設けられる第２のシール部４３は、フィルタ本体４０の下側の端面４０Ｂに向かうように付勢される。このように、第１のシール部４２及び第２のシール部４３は、弾性部４５の弾性変形によってフィルタ本体４０の端面４０Ａ及び端面４０Ｂにそれぞれ付勢された状態で収容部３１に収容される。
【００５９】
第１及び第２のシール部４２，４３は、弾性部４５の弾性変形によって付勢されることから、フィルタ本体４０の両端面４０Ａ，４０Ｂに強固に固定される。また、第２のシール部４３は、位置決め部３９Ｂに当接するため、位置決め部３９Ｂに対するフィルタ構造体９０の位置ずれを抑制することができる。フィルタ構造体９０を収容部３１から取り出す場合には、固定軸３７に対してハンドル部３５を反時計回り（又は時計回り）に回して、蓋部３４を胴体部３２側とは反対側に移動させる。これによって、図９に示すように収容部３１が開放され、フィルタ構造体９０を交換することができる。このように、ハンドル部３５を操作することによって、蓋部３４と胴体部３２と間の距離が調節され、収容部３１の開閉状態を変えることができる。したがって、フィルタ本体４０（フィルタ構造体９０）の交換作業を容易に行うことができる。
【００６０】
フィルタユニット３０は、上述の構造に限定されない。例えば、別の実施形態では、蓋部３４及び胴体部３２を一体的な構造とし、底部３６に対して蓋部３４及び胴体部３２を上下方向に移動して、収容部３１の開放及び閉鎖を行い、フィルタ構造体の９０の設置又は交換を行ってもよい。胴体部３２と底部３６、又は胴体部３２と蓋部３４は、溶接によって接続されていてもよいし、一体的に鋳造されていてもよい。
【００６１】
フィルタ本体４０は、両端部にＯ−リング、ガスケット又はパッキンを有していてもよい。この場合、フィルタ本体４０の端面４０Ａ及び４０Ｂは、Ｏ−リング、ガスケット又はパッキンで構成される。第１のシール部４２及び第２のシール部４３は、両端面をなすＯ−リング、ガスケット又はパッキンに食い込むように弾性部４５で付勢される。
【００６２】
図１に示す配管８３を流通してフィルタユニット３０に供給される循環水は、図２に示す流入口３３Ｂから供給流路３３を流通して供給口３３Ａより収容部３１内に供給される。収容部３１内に供給された循環水は、収容部３１内に収容されているフィルタ本体４０の濾材で構成される円筒体４０ｂを、外周面４０ｃ側から中空部４０ｄ側に向かって通過する。このときに、円筒体４０ｂによって循環水に含まれる異物が低減される。異物が低減された循環水は、中空部４０ｄを流通して排出口３８Ａから排出される。排出された循環水は排出流路３８を流通して流出口３８Ｂから流出する。異物が低減された循環水は、流出口３８Ｂに接続される配管８５を流通して、図１に示すとおり、循環水を活性化する水活性化部５０に導入される。
【００６３】
図１０は、水活性化部とその内部構造の一部を透視して示す模式図である。水活性化部５０は、電子還元現象によって、循環水の水質を赤錆が発生し難い水質に変えることができる。水活性化部５０は、二重管構造として、水活性化部５０は、外側に例えば真鍮等の導電体で構成されるケーシング５２と、内側に誘電体（例えば、ＰＣ（ポリカーボネート）又はエポキシＦＲＰ（繊維強化プラスチック）等の強化プラスチック）で構成される管体５４とを有する。循環水は、管体５４内を流通する。管体５４の外周面にはリング状の複合電極５６が設けられている。ケーシング５２の外周面にはアース端子５８が設けられている。配管８５，８６がプラスチック製等、導電性を有しないもので構成される場合、アース端子５８を接地することによって静電気を逃がすことができる。配管８５又は配管８６が金属製である場合、接地は不要である。
【００６４】
複合電極５６は、電気化学的電位が異なる２種以上の導電体で構成することができる。例えば、リング状のアルミニウム電極と炭素電極とを組み合わせて用いることができる。水活性化部５０は、ケーシング５２を有することから、複合電極５６を、管体５４の外周面と、ケーシング５２の内周面との間に密封することができる。
【００６５】
管体５４は、その流路内を流通する循環水との摩擦によって静電気を発生させる。水活性化部５０では、外部電源を用いることなく電位差が生じ、循環水を管体５４内に流通させることによって、循環水を介して正極の炭素と負極のアルミニウムとの導電結合が生じる。すなわち、管体５４の外側にマイナス静電気が発生し、一次静電場が形成される。正極である炭素電極は、この静電場より自由電子を吸収し、マイナスに荷電される。一方、負極であるアルミニウム電極は、マイナス静電場で自由電子を放出してプラスに荷電される。
【００６６】
どちらの電極も瞬時に飽和され、正極から自由電子が循環水中に放電される。そして、自由電子を失った負極には循環水中の自由電子が飛び込み、いずれの電極も元の中性に戻る。この充放電の繰り返しが、循環水中に静電子の薄膜を形成し、働きのない水分子集団を、イオン形成能力を持つ本来の水分子に戻すので、循環水及びその溶解成分がイオン化される。水活性化部５０としては、例えば、株式会社サンワード製のスピリオン（型式：ＪＳ−３８Ｆ，ＥＨ−３８Ｆ，ＪＳ−１２Ｆ，ＥＨ１２Ｆ）を用いることができる。
【００６７】
水活性化部５０を設けることによって、インキローラ１０及び水循環装置１００の内壁の腐食が抑制され、赤錆等のスケールの発生を抑制することができる。また、インキローラ１０及び水循環装置１００において、循環水との接触部分に、後述するＦｅ３Ｏ４を含む皮膜を形成することを促進できると推察される。
【００６８】
水活性化部５０で活性化された循環水は、配管８６を流通し、処理部７０に導入される。処理部７０において、循環水は殺藻剤と接触する。水循環装置１００は処理部７０を有することによって、循環水中に藻類が増殖することを抑制できる。したがって、藻類の含有量が水道水よりも高い水を用いる場合に、処理部７０を設けることによって、インキローラ、循環流路、温度調節部、水活性化部、及び、フィルタユニットの循環水と接触する内壁に藻類が付着することを抑制できる。これによって、水循環装置１００のメンテナンス頻度を低減することができる。このような効果は、補給水として、藻類の含有量が比較的高い傾向にある工業用水又は井戸水を用いる場合に特に有用である。殺藻剤としては、例えばナフタレンを含むものが挙げられる。
【００６９】
殺藻剤が固体である場合、所定形状を有する金属製のメッシュに殺藻剤を入れておけば、循環水が処理部７０を通過する際に、循環水と殺藻剤を連続的に接触させることができる。殺藻剤が液体である場合、所定量の殺藻剤を継続的又は断続的に循環水中に注入してもよい。
【００７０】
処理部７０で殺藻剤と接触した循環水は、配管８８を流通してインキローラ１０の中心軸１２に導入される。中心軸１２に導入された循環水は、インキローラ１０の内管を流通する。内管を流通する循環水によって、インキローラ１０の表面は所定の温度範囲に維持される。インキローラ１０は、通常、一般構造用の圧延鋼材（ＳＳ材）で構成される。このため、溶存酸素が多い循環水の場合、インキローラ１０の内管には赤錆が発生しやすい傾向にある。そこで、フィルタユニット３０において、濾過精度が十分に小さい（例えば０．５μｍ以下）であるフィルタ本体４０を用いることによって、溶存酸素が低減され、インキローラ１０の内管及び水循環装置１００において循環水の流路を構成する内壁における赤錆の発生を抑制することができる。また、循環水に含まれる錆等の異物が低減されていることから、インキローラ１０のシール部分からの循環水のリークも十分に抑制することができる。
【００７１】
インキローラ１０の内管を流通した循環水は、配管８１を流通して温度調節部１５に導入される。このようにして、循環水は、インキローラ１０及び水循環装置１００の内部を循環して使用される。
【００７２】
本実施形態の水循環装置１００は、フィルタユニット３０を小型化できるため、設置スペースを低減することができる。また、フィルタユニット３０では循環水中のスケール等の異物を十分に低減できることから、インキローラ１０及び各種機器の内壁における異物の付着を抑制することができる。したがって、水循環装置１００及びインキローラ１０のメンテナンス頻度及び水の交換頻度が低減される。このため、メンテナンスコスト及びランニングコストを低減することができる。また、インキローラ１０の温度調節の精度が向上するため、インキ粘度の変動が抑制される。このため、オフセット印刷の印刷精度を向上することができる。
【００７３】
水循環装置１００は、インキローラ１０、循環流路（配管８１，８３，８５，８６，８８）、温度調節部１５、フィルタユニット３０、水活性化部５０、処理部７０、循環水と接触する内壁の少なくとも一部に、Ｆｅ３Ｏ４を含む皮膜を有することが好ましい。このような皮膜を有することによって、内壁での赤錆発生が抑制され、赤錆等の異物の発生を抑制することができる。これによって、メンテナンス頻度を低減するとともに、インキローラ１０の温度調節の精度が上がり、その結果、印刷精度を向上することができる。
【００７４】
水循環装置１００は、配管８６を流通する循環水に薬剤を注入する薬剤注入部６０を備える。薬剤としては、スライム防止剤、スライム剥離剤、スライムコントロール剤、抗菌剤、殺菌剤、金属腐食防止剤及びスケール防止剤等が挙げられる。薬剤注入部６０から、所定量の薬剤を、連続的又は断続的に循環水に注入して、水質改善を図ってもよい。ただし、水循環装置１００は、水活性化部５０及びフィルタユニット３０を備えることから、薬剤を用いなくても、循環水の水質を十分良好に維持することができる。
【００７５】
循環水が流通する配管が亜鉛製の場合、スケール防止剤等に含まれる亜硝酸によって腐食される傾向にある。このため、配管の材質によっては薬剤注入を行わない方が好ましい。
【００７６】
水循環装置１００は、過酸化水素を含む水を用いて洗浄する洗浄工程を有する洗浄方法によって洗浄することができる。水循環装置１００を用いた場合であっても、補給水として、工業用水又は井戸水等の不純物の多いものを用いた場合、インキローラ１０及び水循環装置１００の内部（循環水の流路）に相応のスケール及び藻類等が付着して堆積する。また、梱草菌等の細菌の作用によってもスケールが発生する。本実施形態の洗浄方法では、過酸化水素を循環水に注入することによって、簡便にインキローラ１０及び水循環装置１００の内部を洗浄することができる。なお、補給水が水道水であっても、本実施形態の洗浄方法を行ってもよいことはいうまでもない。
【００７７】
過酸化水素は、水溶液として、配管６５を用いて制御水槽２２に加えてもよいし、薬剤注入部６０から薬剤として循環水に注入してもよい。洗浄工程は、フィルタユニット３０からフィルタ構造体９０を取り外した状態で、水循環装置１００の通常の運転状態と同様に循環水を循環させることによって行ってもよいし、フィルタユニット３０及び／又は水活性化部５０をバイパスして行ってもよい。
【００７８】
以上、本発明の実施形態を説明したが、本発明は上記実施形態に何ら限定されるものではない。上述の実施形態では、インキローラの内部に循環水を供給しながら回収する水循環装置であったが、循環水を供給する機器はインキローラに限定されず、循環水を用いる各種機器に適用することができる。当該機器は、例えば、各種生産機器の温調器であってもよいし、溶接ロボット及び塗装ロボット等の油圧器であってもよい。また、飲料等の各種液体及び半導体接着剤等のジャケットタンクであってもよい。上述の実施形態におけるインキローラを上述の各種機器に置き換えることによって実施することができる。
【００７９】
水循環装置は、循環水の温度を測定する温度センサと、循環水の温度を所定の範囲に制御する制御部とを備えていてもよい。当該制御部は、冷却器１６で冷却する循環水の量を調節したり、制御水槽２２に設けられるヒータの出力を制御したりすることによって循環水の温度を調節してもよい。水循環装置は、制御水槽の水位を測定する水位計と、当該水位を制御する制御部とを備えていてもよい。この水位は、補給水の補給量を調節することによって制御してもよい。水循環装置１００は、薬剤注入部６０、圧力センサ６２、制御部６４及び処理部７０を備えているが、これらのうち少なくとも一つはなくてもよい。また例えば、水循環装置は、循環水に紫外線を照射する紫外線照射部を有していてもよい。
【実施例】
【００８０】
実施例及び比較例を参照して本発明の内容をより詳細に説明するが、本発明は下記の実施例に限定されるものではない。
【００８１】
（比較例１、実施例１）
図１に示すような水循環装置を導入する前と導入した後における循環水の水質比較を行った。すなわち、比較例１は、フィルタユニット３０及び水活性化部５０を備えていない水循環装置を用いた。実施例１では、比較例１の水循環装置に対して、フィルタユニット３０及び水活性化部５０を増設したものを用いた。実施例１のフィルタユニットのフィルタ本体としては、フィルテック株式会社製のプリーツタイプのフィルタ（製品名：ポリクリアーカートリッジ、型式：ＳＰＰ０．４５−Ａ−２−０１，濾過精度０．４５μｍ（ｎｏｍ．））を用いた。また、実施例１の水活性化部としては、株式会社サンワード製の小型スピリオン（型式：ＥＨ−１２Ｆ）を用いた。
【００８２】
フィルタユニット３０及び水活性化部５０はコンパクトであることから、設置スペースを殆ど拡大することなくフィルタユニット３０及び水活性化部５０を増設することができた。比較例１及び実施例１ともに、補給水は、水道水を用いた。実施例１では、フィルタユニット３０及び水活性化部５０を増設してから定期的に循環水のサンプルを採取し、経時変化を調べた。結果を表１に示す。表１中、「−」は未測定であること示す。また、ＪＲＡ冷水基準とは、日本冷凍空調工業会が定める冷凍空調機器用水質ガイドラインに示される冷水系（循環水）の基準値を示している。なお、色度及び濁度は、飲料水の基準値を示している。
【００８３】
【表１】
2018202302.tif 000003
【００８４】
比較例１に比べて、実施例１では、シリカ及び全鉄の濃度を低減することができた。特に、シリカは、経時的に減少させることができた。また、実施例１では比較例１よりも色度及び濁度も良好な値にすることができた。
【００８５】
（比較例２、実施例２）
比較例１及び実施例１で用いたインキローラとは異なるインキローラを用いたこと以外は、比較例１及び実施例１と同様にしてフィルタユニット３０及び水活性化部５０の増設の効果を調べた。すなわち、比較例２は、フィルタユニット３０及び水活性化部５０を備えていない水循環装置を用いた。実施例２では、比較例２の水循環装置にフィルタユニット３０及び水活性化部５０を増設して運転を行った。実施例２で増設したフィルタユニットのフィルタ本体、及び水活性化部は、実施例１と同一である。比較例２及び実施例２ともに、補給水は水道水を用いた。増設前の循環水（比較例２）と、増設して２ヶ月経過後の循環水（実施例２）の水質比較を行った。結果を表２に示す。
【００８６】
【表２】
2018202302.tif 000004
【００８７】
実施例２も、フィルタユニット３０及び水活性化部５０はコンパクトであることから、設置スペースを殆ど拡大することなくフィルタユニット３０及び水活性化部５０を増設することができた。そして、比較例２に比べて、実施例２では、シリカ及び全鉄の濃度を低減することができた。また、実施例２では比較例２よりも色度及び濁度も良好な値にすることができた。
【００８８】
（比較例３、実施例３）
比較例１，２及び実施例１，２で用いたインキローラとは異なるインキローラを用いたこと以外は、比較例１及び実施例１と同様にしてフィルタユニット３０及び水活性化部５０の増設の効果を調べた。比較例３は、フィルタユニット３０及び水活性化部５０を備えていない一方で、薬剤注入を行っていた。実施例３では、比較例３の水循環装置にフィルタユニット３０及び水活性化部５０を増設するとともに、薬剤注入を停止して運転を行った。実施例３で増設したフィルタユニットのフィルタ本体、及び水活性化部は、実施例１と同一である。比較例３及び実施例３ともに、補給水は水道水を用いた。増設前の循環水（比較例３）と、増設して８．５ヶ月経過後の循環水（実施例３）の水質比較を行った。
結果を表３に示す。
【００８９】
【表３】
2018202302.tif 000005
【００９０】
実施例３も、フィルタユニット３０及び水活性化部５０はコンパクトであることから、設置スペースを殆ど拡大することなくフィルタユニット３０及び水活性化部５０を増設することができた。また、薬剤注入を停止することでコスト低減をすることができた。表３中、「分析障害」は、検出限界を超えたため測定できなかったことを示す。比較例３では、薬剤注入を行っていたものの水質が悪く、不純物が高い濃度で検出された。一方、実施例３では、シリカ、全鉄及びその他の不純物を大幅に低減することができた。なお、実施例３では、有機物が残存しているが、これは、比較例３で注入していた薬剤が循環系内に残存していることに起因するものと考えられる。
【００９１】
（実施例４、比較例４）
実施例１〜３で用いた水循環装置と同様の水循環装置で得られた循環水（インキチラー水、薬剤注入未実施、実施例４）と、水道水（比較例４）を用いて、鉄板の腐食試験を行った。具体的には、室温にて一ヶ月間、鉄板を循環水又は水道水に浸漬し、目視にて錆の発生の有無及び水質を調べた。図１１（Ａ）は、浸漬直後の写真であり、図１１（Ｂ）は１日経過後の写真である。図１２（Ａ）は、４日経過後の写真であり、図１２（Ｂ）は一ヶ月経過後の写真である。
【００９２】
図１１，図１２に示すとおり、実施例４では、赤錆も循環水の濁りも殆ど発生しなかった。また、実施例４の鉄板の表面には黒錆が生成していた。これに対し、比較例４では、赤錆は発生して水道水はかなり濁ることが確認された。この結果は、循環水は、通常の水道水よりも赤錆の発生を抑制する作用があること、そして少量の黒錆（Ｆｅ３Ｏ４）を生成する作用があることを示している。この原因は必ずしも明らかではないが、水活性化部とフィルタユニットを組み合わせたことによる効果であると推察される。
【００９３】
（実施例５）
補給水として井戸水を用いていた水循環装置及びインキローラを洗浄する洗浄工程を行った。この洗浄工程では、数ヶ月間継続して使用したインキローラ及び水循環装置の循環流路（配管）に、過酸化水素を注入し、数時間循環運転を継続した。このとき、フィルタユニットのフィルタ本体は取り外して循環運転を行った。その結果、インキローラの内管及び洗浄装置の循環流路の内壁に付着している藻類及びスケール等を十分に除去することができた。図１３（Ａ）は、洗浄後の温度調節部における制御水槽の水面を撮影した写真であり、図１３（Ｂ）は、洗浄工程中における温度調節部における制御水槽の水面を撮影した写真である。洗浄後は循環水が清澄になっていた。この結果から、過酸化水素を含む循環水を用いることによって、水循環装置及びインキローラの内部を十分に洗浄できることが確認された。
【産業上の利用可能性】
【００９４】
本開示によれば、設置スペースを低減することが可能な水循環装置が提供される。また、水循環装置の内部の洗浄を簡便に行うことが可能な洗浄方法が提供される。
【符号の説明】
【００９５】
１０…インキローラ、１２…中心軸、１５…温度調節部、１６…冷却器、１７，１８…配管、２２…制御水槽、２４…ポンプ、３０…フィルタユニット、３１…収容部、３２…胴体部、３３…供給流路、３３Ａ…供給口、３３Ｂ…流入口、３４…蓋部、３４ａ…周縁、３４ｂ…貫通孔、３４ｃ…ガス抜き孔、３５…ハンドル部、３６…底部、３５ａ…中心軸、３５ｂ…先端、３７…固定軸、３８Ａ…排出口、３８…排出流路、３８Ｂ…流出口、３９Ａ…凹部、位置決め部…３９Ｂ、４０…フィルタ本体、４０Ａ，４０Ｂ…端面、４０ａ…外殻体、４０ｂ…円筒体、４０ｃ…外周面、４０ｄ…中空部、４１Ａ，４１Ｂ…開口、４２…第１のシール部、４２ａ…突起部、４２ｂ…本体部、４２ｃ…先端、４２ｄ…挿入部、４３…第２のシール部、４３ａ…貫通孔、４３ｂ…表面、４３ｃ…先端、４４…支持部、４４Ａ…溝部、４４Ｂ…開口部、４４ａ…先端部、４４ｂ…後端部、４５…弾性部、５０…水活性化部、５２…ケーシング、５４…管体、５６…複合電極、５８…アース端子、６０…薬剤注入部、６２…圧力センサ、６４…制御部、７０…処理部、９０…フィルタ構造体、１００…水循環装置。
【図１】
2018202302.tif 000006
【図２】
2018202302.tif 000007
【図３】
2018202302.tif 000008
【図４】
2018202302.tif 000009
【図５】
2018202302.tif 000010
【図６】
2018202302.tif 000011
【図７】
2018202302.tif 000012
【図８】
2018202302.tif 000013
【図９】
2018202302.tif 000014
【図１０】
2018202302.tif 000015
【図１１】
2018202302.tif 000016
【図１２】
2018202302.tif 000017
【図１３】
2018202302.tif 000018